(57)【要約】      （修正有）【課題】紙幣束、本などのように薄手の紙葉類が多数重合されている物品を一枚ずつ捲る際に用いて好適な簡略構成の指先濡らし具を提供する。【解決手段】指先濡らし具１は、含水したスポンジ片３を保持する挿入引き出し板２と、挿入引き出し板２におけるスポンジ片３領域を挿脱可能に収容する濡らし具保持体４と、濡らし具保持体４から突出する挿入引き出し板２の一部に設けた紐材７からなる掛け止め材６と、を有する。使用者は、濡らし具保持体４を片手で持ち、挿入引き出し板２を他方の手指で含水したスポンジ片３が露出状態となるように引き出し、他方の手の親指、人さし指の指先をスポンジ片３に接触させる。【選択図】図３
0003228032.tif 000002
【実用新案登録請求の範囲】
【請求項１】
含水したスポンジ片を保持する挿入引き出し板と、
前記挿入引き出し板における前記スポンジ片領域を挿脱可能に収容する濡らし具保持体と、
前記濡らし具保持体から突出する前記挿入引き出し板の一部に設けた掛け止め材と、
を有することを特徴とする指先濡らし具。
【請求項２】
前記含水したスポンジ片は、前記挿入引き出し板の両面に添着したものであり、前記濡らし具保持体は、前記挿入引き出し板の両面に添着した前記含水したスポンジ片の領域を挿脱可能に収容するものである請求項１記載の指先濡らし具。
【請求項３】
前記掛け止め材は、使用者の首周りに掛ける紐材である請求項１又は２記載の指先濡らし具。
【請求項４】
前記掛け止め材は、紐材及びこの紐材が抜穴部に挿入されるフックを具備し、使用者の着衣の一部にフックを係止することで紐材を介して指先濡らし具自体を吊り下げ又は使用者の着衣のポケット等に入れて保持する構成としたことを特徴とする請求項１又は２記載の指先濡らし具。
【考案の詳細な説明】
【技術分野】
【０００１】  本考案は、指先濡らし具に関し、詳しくは、例えば紙幣束などのように薄手の紙葉類が多数重合されている物品を一枚ずつ捲る際に用いて好適な指先濡らし具に関するものである。
【背景技術】
【０００２】  例えば紙幣束等のように薄手の紙葉類が多数重合されている物品を一枚ずつ指で捲り、その枚数を確認する際には、簡略な構成の基に指先を容易に湿潤化し得る用具が要請される。【０００３】  このような用途に使用する従来の用具として、特許文献１には、手指や腕などに巻き回されて固定されるバンド装着部と、前記バンド装着部の中央にその椀状下部が取り付けられる軟質材からなるケース部と、前記ケース部の表面側に露出配置されるスポンジやファイバーなどからなる指濡らし用成分を保持する保湿部とを備えた紙めくり補助具が提案されている。【０００４】  また、上記特許文献１には、上記構成に保湿部用の保湿カバーを付加した紙めくり補助具や、指濡らし用成分を貯留するタンク部を備え、タンク部から保湿部に指濡らし用成分を供給するようにした構成の紙めくり補助具が提案されている。【０００５】    しかし、特許文献１の紙めくり補助具の場合、保湿部を露出した構成の場合、長期間の使用では保湿部が乾燥してしまい、指先を湿潤化に支障が生じ、また、保湿部用の保湿カバーを備える構成では使用の都度保湿カバーを開く煩雑さを伴い、さらに指濡らし用成分を貯留するタンク部を備える構成では紙めくり補助具自体の構成の複雑化を招くという問題を包含していると推定される。
【先行技術文献】
【特許文献】
【０００６】
【特許文献１】実用新案登録第３１６４９４３号公報
【考案の概要】
【考案が解決しようとする課題】
【０００７】  本考案は、上記事情に鑑みてなされたものであり、例えば紙幣束、本などのように薄手の紙葉類が多数重合されている物品を一枚ずつ捲る際に用いて好適な簡略構成の指先濡らし具を提供するものである。
【課題を解決するための手段】
【０００８】  本考案に係る指先濡らし具は、含水したスポンジ片を保持する挿入引き出し板と、前記挿入引き出し板における前記スポンジ片領域を挿脱可能に収容する濡らし具保持体と、前記濡らし具保持体から突出する前記挿入引き出し板の一部に設けた掛け止め材と、を有することを最も主要な特徴とする。
【考案の効果】
【０００９】  請求項１記載の考案によれば、濡らし具保持体を片手に持ち、含水したスポンジ片を保持する挿入引き出し板の一部を他方の手の指で濡らし具保持体から引き出して、含水したスポンジ片を露出させ、このスポンジ片に指を接触させることで簡略に指先を濡らし、紙葉類が多数重合されている物品の個々の紙葉類の一枚ずつ指捲り操作を的確に行うことができ、例えば紙幣束等の枚数確認等の用途に極めて有益な指先濡らし具を提供することができる。
また、前記挿入引き出し板の一部に掛け止め材を設けているので、指先濡らし具自体を使用者の着衣等に掛け止めることもでき、取り扱いの利便性を高めることができる。【００１０】    請求項２記載の考案によれば、前記含水したスポンジ片は、前記挿入引き出し板の両面に添着したものであり、前記濡らし具保持体は、前記挿入引き出し板の両面に添着した前記含水したスポンジ片の領域を挿脱可能に収容する構成としているので、含水したスポンジ片を保持する挿入引き出し板を濡らし具保持体内の元の位置に戻せば、スポンジ片の湿潤性を保持することができ、また、例えば使用者の親指、人差し指双方の指先濡らしを同時に実行することもできる指先濡らし具を提供することができる。【００１１】  請求項３記載の考案によれば、請求項１又は２記載の考案において、前記掛け止め材を使用者の首周りに掛ける紐材により構成しているので、前記紐材を使用者の首周りに掛けることで、前記指先濡らし具自体を首から吊り下げ保持することができる指先濡らし具を提供することができる。【００１２】  請求項４記載の考案によれば、請求項１又は２記載の考案において、前記掛け止め材は、紐材及びこの紐材が抜穴部に挿通されるフック材を具備し、使用者の着衣の一部にフック材を係止することで紐材を介して指先濡らし具自体を保持する構成としているので、前記フック材、紐材を用いて指先濡らし具自体を使用者の着衣の襟等から吊り下げ保持することができる指先濡らし具を提供することができる。
【図面の簡単な説明】
【００１３】
【図１】図１は本考案の実施例に係る指先濡らし具の概略斜視図である。
【図２】図２は本実施例に係る指先濡らし具の概略断面図である。
【図３】図３は本実施例に係る指先濡らし具の概略分解斜視図である。
【図４】図４は本実施例の変形例に係る指先濡らし具の概略斜視図である。
【考案を実施するための形態】
【００１４】  本考案は、例えば紙幣束、本などのように薄手の紙葉類が多数重合されている物品を一枚ずつ捲る際に用いて好適な簡略構成の指先濡らし具を提供するという目的を、含水したスポンジ片を保持する挿入引き出し板と、前記挿入引き出し板における前記スポンジ片領域を挿脱可能に収容する濡らし具保持体と、前記濡らし具保持体から突出する前記挿入引き出し板の一部に設けた紐材からなる掛け止め材と、を有する構成により実現した。
【実施例】
【００１５】  以下に図面を参照して、本考案の実施例に係る指先濡らし具について詳細に説明する。【００１６】  図１乃至図３は、本実施例に係る指先濡らし具１を示すものであり、この指先濡らし具１は、含水し湿潤状態とした一対のスポンジ片３、３を添着保持する薄板状の挿入引き出し板２と、前記挿入引き出し板２における前記スポンジ片３、３の領域を挿脱可能に収容する一端側開口の箱型状の濡らし具保持体４と、前記濡らし具保持体４から突出する前記挿入引き出し板２の一部に設けた貫通孔５に挿通した使用者の首周りに掛け止める紐材からなる掛け止め材６と、を有している。【００１７】  前記含水したスポンジ片３。３は、前記挿入引き出し板２の両面に各々添着したものであり、前記濡らし具保持体４は、前記挿入引き出し板２の両面に添着した前記含水したスポンジ片３の領域を挿脱可能に収容可能な寸法で構成している。【００１８】  前記含水したスポンジ片３。３の素材としては、天然スポンジ、メラミンスポンジ、ゴムスポンジ等を挙げることができ、特に限定されるものではない。【００１９】  次に本実施例に係る指先濡らし具１による使用者の指先濡らし動作について説明する。【００２０】  使用者は、前記濡らし具保持体４を片手で持ち、含水したスポンジ片３、３を保持する挿入引き出し板２を他方の手指で前記含水した一対のスポンジ片３、３が露出状態となるように引き出す。【００２１】  そして、他方の手の親指，人さし指の双方の指先を一対のスポンジ片３、３に接触させる。【００２２】  このような操作で、簡略容易に当該指先を濡らし、紙葉類が多数重合されている例えば紙幣束のような物品の個々の紙葉類の一枚ずつ指捲り操作を的確に行うことができ、例えば紙幣束等の枚数確認等の用途に極めて有益な指先濡らし具１を提供することができる。【００２３】  また、前記挿入引き出し板２の一部に紐材のような掛け止め材６を設けているので、指先濡らし具１自体を使用者の首周りから吊り下げ保持することができ、取り扱いの利便性を高めることができる。【００２４】  さらに、前記含水した一対のスポンジ片３、３は、前記挿入引き出し板２の両面に添着したものであり、前記濡らし具保持体４は、前記挿入引き出し板２の両面に添着した前記含水したスポンジ片３、３の領域を挿脱可能に収容する構成としているので、含水したスポンジ片３、３を保持する挿入引き出し板２を濡らし具保持体４内の元の位置に戻せば、スポンジ片３、３の湿潤性を長期間保持することができる指先濡らし具１を提供することができる。【００２５】  図４は、本実施例の変形例に係る指先濡らし具１Ａを示すものであり、この変形例に係る指先濡らし具１Ａは、同図に示すように、前記掛け止め材６を、紐材７及びこの紐材７が抜穴部８に挿入されるフック９を具備する構成としたものである。【００２６】  変形例に係る指先濡らし具１Ａによれば、使用者の着衣の一部にフック９を係止することで紐材７を介して指先濡らし具１Ａ自体を使用者の身体周りに保持する構成としたものである。【００２７】  本実施例の変形例に係る指先濡らし具１Ａによれば、掛け止め材６である前記フック９、紐材７を用いて指先濡らし具１Ａ自体を使用者の着衣の襟等から吊り下���保持したり、着衣のポケット等に入れて保持することもできる、【００２８】  尚、上述した実施例１の指先濡らし具１、変形例の指先濡らし具１Ａにおいて、前記掛け止め材６としては、上述したフック９を前記挿入引き出し板２又は濡らし具保持体４に対して一体的に取り付けた構成とすることも可能である。
【産業上の利用可能性】
【００２９】  本考案の指先濡らし具は、上述した場合の他、薄手の入場券やチケット、パンフレット等の一枚ずつの取り扱い、本のページめくり、切手の裏面濡らし、ポリ袋等の開口指操作等の用途に広範に利用可能である。
【符号の説明】
【００３０】１    指先濡らし具
１Ａ  指先濡らし具
２    挿入引き出し板
３    スポンジ片
４    濡らし具保持体
５    貫通孔
６    掛け止め材
７    紐材
８    抜穴部
９    フック
【図１】
0003228032.tif 000003
【図２】
0003228032.tif 000004
【図３】
0003228032.tif 000005
【図４】
0003228032.tif 000006